(57)【要約】【課題】複数の管理装置がある状況において、記録媒体の盗難を適切に監視する。【解決手段】遊技場用システム１は、従業員が登録操作を行うと、持玉管理装置７及び金額管理装置８がそれぞれ個別に盗難登録するので、遊技価値（持玉数及び残額）の種類により管理装置が異なっていても一方の管理装置でしか盗難を監視することができない事態を抑制する。又、解除条件が成立すると、持玉管理装置７及び金額管理装置８がそれぞれ個別に盗難登録を解除するので、一方の遊技価値について盗難登録を維持する必要がなくなった場合に、両方の管理装置で盗難登録を解除してしまう事態を抑制する。又、使用されたＩＣカードのカードＩＤが一方の管理装置で盗難登録されていれば、異常報知を実行する。【選択図】図１
2019150237.tif 000002
【特許請求の範囲】
【請求項１】
遊技機に対応して設けられ、固有の識別情報及び当該遊技者が所有する遊技価値である第１遊技価値及び第２遊技価値の大きさを特定可能な情報を記録した記録媒体を受け付け、当該遊技価値を消費して遊技機での遊技を可能にする遊技用装置と、前記識別情報に対応付けて遊技者が所有する前記第１遊技価値の大きさを管理する第１管理装置と、前記識別情報に対応付けて遊技者が所有する前記第２遊技価値の大きさを管理する第２管理装置と、が設置された遊技場に対応した遊技場用システムにおいて、
前記遊技用装置に設けられ、遊技者が所有する前記第１遊技価値の大きさを前記識別情報に対応付けて前記第１管理装置に通知する第１通知手段と、
前記遊技用装置に設けられ、遊技者が所有する前記第２遊技価値の大きさを前記識別情報に対応付けて前記第２管理装置に通知する第２通知手段と、
遊技場の従業員による登録操作により指定された前記識別情報の記録媒体が盗難されたことを前記第１管理装置及び前記第２管理装置に通知する盗難登録通知手段と、
前記第１管理装置に設けられ、前記盗難登録通知手段が通知した前記記録媒体の識別情報を盗難登録する第１登録手段と、
前記第１管理装置に設けられ、予め定められた第１解除条件が成立した前記識別情報の記録媒体について、前記第１登録手段の盗難登録を解除する第１解除手段と、
前記第２管理装置に設けられ、前記盗難登録通知手段が通知した前記記録媒体の識別情報を盗難登録する第２登録手段と、
前記第２管理装置に設けられ、前記第１解除条件とは異なる条件である第２解除条件が成立した前記識別情報の記録媒体について、前記第２登録手段の盗難登録を解除する第２解除手段と、
前記遊技用装置が前記記録媒体を受け付けた際に、当該記録媒体の識別情報が前記第１登録手段及び前記第２登録手段の少なくとも一方に登録されている場合に異常報知を実行する異常報知手段と、を備えたことを特徴とする遊技場用システム。
【請求項２】
前記第１遊技価値は翌日以降の消費が制限されている一方、前記第２遊技価値は翌日以降の消費が可能であり、
前記第１解除手段は、当日の営業を終了してから翌日の営業を開始するまでに、当該当日の営業終了時における前記第１遊技価値の有無に関わらず、前記第１解除条件が成立したものとして、前記第１登録手段の盗難登録を解除するものであり、
前記第２解除手段は、当日の営業を終了してから翌日の営業を開始するまでに、前記識別情報に対応付けた前記第２遊技価値が残っていない場合に前記第２解除条件が成立したものとして、前記第２登録手段の盗難登録を解除するものであることを特徴とする請求項１に記載の遊技場用システム。
【請求項３】
前記異常報知手段は、前記遊技用装置が前記記録媒体を受け付けた際に、当該記録媒体の識別情報が前記第１登録手段及び前記第２登録手段のうち一方で登録されている場合及び両方で登録されている場合の何れであっても共通の異常報知を実行することを特徴とする請求項２に記載の遊技場用システム。
【発明の詳細な説明】
【技術分野】
【０００１】
本発明は遊技場用システムに関する。
【背景技術】
【０００２】
従来、遊技場では遊技者が所有する持玉数の情報や残額の情報をＩＣカード（記録媒体）に記録している。遊技者は、遊技機に隣接した貸出機にＩＣカードを挿入することで、ＩＣカードに記録した持玉数や残額を消費して遊技を行うことが可能になっている。ＩＣカードを使用することで、実物の玉を持ち運ぶ必要がなくなり便利になる反面、ＩＣカードの盗難が発生している。そのため、遊技場側では盗難対策を行っており、例えば特許文献１には遊技者からの盗難登録の申告に応じて、盗難された可能性が高いＩＣカードの特定及び登録を行い、登録したＩＣカードの以後の使用を抑制することが記載されている。
【先行技術文献】
【特許文献】
【０００３】
【特許文献１】特開２０１５−１９８８１５号公報
【発明の概要】
【発明が解決しようとする課題】
【０００４】
ところで、遊技場では、遊技者が所有する持玉数や残額の管理を行うことが一般的である。又、持玉数や残額の管理は情報量が膨大になることがあり、遊技場によっては、持玉数を管理する持玉管理装置と残額を管理する金額管理装置とを個別に設け、ＩＣカードのカードＩＤに対応付けて持玉数や残額をそれぞれ個別に管理している。
【０００５】
しかしながら、管理装置を複数設けた状況において、どのように盗難登録の設定を行えば良いかが全く考慮されていない。そのため、例えば盗難登録を持玉管理装置でのみ行っており、持玉の有効期限が切れた場合等、持玉管理装置側では盗難登録を解除して良い状況になった際に、残額の有無に関わらず盗難登録を解除してしまうことが考えられる。即ち、一方の管理装置で管理している情報が盗難登録を解除して良い状況になっても他方の管理装置で管理している情報が盗難登録を解除して良い状況になっているとは限らず、複数の管理装置を設置した遊技場でＩＣカードの盗難を監視する上で未だ改善の余地がある。
【０００６】
本発明は、上記した事情に鑑みてなされたものであり、その目的は、複数の管理装置がある状況において、記録媒体の盗難を適切に監視することができる遊技場用システムを提供することにある。
【課題を解決するための手段】
【０００７】
請求項１に記載した発明によれば、遊技場の従業員（以下、単に従業員と称する）が登録操作を行うと、第１管理装置及び第２管理装置がそれぞれ個別に盗難登録するので、遊技価値の種類により管理装置が異なっていても一方の管理装置でしか盗難を監視することができない事態を抑制することができる。又、解除条件が成立すると、第１管理装置及び第２管理装置がそれぞれ個別に盗難登録を解除するので、第１遊技価値及び第２遊技価値のうち一方の遊技価値について盗難登録を維持する必要がなくなった場合に、両方の管理装置で盗難登録を解除してしまう事態を抑制することができる。又、使用された記録媒体の識別情報が一方の管理装置で盗難登録されていれば、異常報知を実行するので、不正な記録媒体の使用を発見することができる。以上により、複数の管理装置がある状況において、記録媒体の盗難を適切に監視することができる。
【図面の簡単な説明】
【０００８】
【図１】一実施形態の遊技場用システムの全体構成を示す図
【図２】貸出機、メイン管理装置、持玉管理装置及び金額管理装置の機能ブロック図
【図３】盗難登録時の処理の流れを示す図
【図４】正常カードの受付時の処理の流れを示す図
【図５】盗難登録カードの受付時の処理の流れを示す図（その１）
【図６】盗難登録カードの受付時の処理の流れを示す図（その２）
【図７】盗難登録カードの受付時の処理の流れを示す図（その３）
【図８】盗難登録解除時の処理の流れを示す図
【発明を実施するための形態】
【０００９】
以下、本発明の一実施形態について図面を参照して説明する。
図１は、遊技場用システムの全体構成の概略図を示している。遊技場内には多数のパチンコ遊技機１が設置されており、パチンコ遊技機１に対応して貸出機２（遊技用装置）及び情報表示装置３が設置されている。パチンコ遊技機１、貸出機２及び情報表示装置３は、中継装置４及びＬＡＮ５ａを介してメイン管理装置６と接続されている。
【００１０】
又、遊技場には持玉管理装置７（第１管理装置）及び金額管理装置８（第２管理装置）も設置されている。これら持玉管理装置７及び金額管理装置８は、ＬＡＮ５ａを介してメイン管理装置６と接続されている共に、ＬＡＮ５ａとは別の専用のデータ通信線５ｂを介してもメイン管理装置６と接続されている。即ち、持玉管理装置７及び金額管理装置８とメイン管理装置６との間ではデータ通信が冗長な構成となっている。持玉管理装置７は、遊技者が所有するＩＣカード（記録媒体）に固有のカードＩＤ（固有の識別情報）に対応付けて持玉数（第１遊技価値の大きさ）を管理する装置であり、金額管理装置８は、カードＩＤに対応付けて残額（第２遊技価値の大きさ）を管理する装置である。又、遊技場にはＰＯＳ９及び残額精算機（図示せず）も設置されており、これらＰＯＳ９及び残額精算機もＬＡＮ５ａを介してメイン管理装置６と接続されている。ＰＯＳ９にはカードリーダライタ１０が接続されている。尚、図１では図示を省略したが、実際には例えば数百台のパチンコ遊技機１がメイン管理装置６の管理対象となっている。
【００１１】
メイン管理装置６は、遊技場内の例えば事務室等に設置されており、遊技場の管理者が操作するキーボード１１、モニタ１２及びプリンタ（図示せず）等が接続されている。メイン管理装置６は、遊技機側（パチンコ遊技機１、貸出機２等）から送信される遊技信号を受信してパチンコ遊技機１の遊技データ、会員登録を行った会員遊技者の個人データ等を管理する。
【００１２】
パチンコ遊技機１は、ＣＲ（カードリーダ）パチンコ遊技機であり、盤面１３に玉を発射する発射装置を構成する操作ハンドル１４、上部受皿１５及び下部受皿１６を有すると共に、盤面１３に、液晶表示部１７、普図入賞口１８、第１始動口１９、第２始動口２０及び大入賞口２１を有する。又、上部受皿１５には貸出ボタン２２及び返却ボタン２３が並設されている。第１始動口１９は入賞率が変動しない入賞口（所謂ヘソ入賞口）であり、第２始動口２０は入賞率が変動する入賞口（所謂電チュー）である。
【００１３】
パチンコ遊技機１及び当該パチンコ遊技機１に付設された周辺機器は、遊技者による遊技の進行に伴って以下の遊技信号を送信する。
アウト信号＝消費玉を回収するアウトＢＯＸから送信される消費価値（アウト）を特定可能な信号である。消費（使用、打込、回収）玉１０玉に対して１パルスが送信されるので、「アウト信号数×１０」をアウトとして特定する。尚、パチンコ遊技機１から送信される信号でも良い。
セーフ信号＝パチンコ遊技機１から送信される入賞付与価値（セーフ）を特定可能な信号である。払出１０玉に対して１パルスが送信されるので、「セーフ信号数×１０」をセーフとして特定する。
【００１４】
始動信号＝パチンコ遊技機１から送信される始動入賞（特定の入賞）により変動（作動）する液晶表示部１７（役物）におけるスタート処理（図柄変動、役物作動、単位遊技）を特定可能な信号である。図柄変動確定時に送信されるので、始動信号の受信に応じてスタート処理を特定し、「始動信号×１」をスタート回数（スタート処理数）として特定する。尚、第１始動口１９又は第２始動口２０への入賞を示す信号としても良い。
大当たり信号＝パチンコ遊技機１から送信される大当たり期間を特定可能な信号である。大当たり中にレベル送信される状態信号であるので、大当たり信号の受信中を大当たり中として特定する。
特別信号＝パチンコ遊技機１から送信される時短状態又は高確率状態を特定可能な信号である。第２始動口２０の入賞率が向上する時短状態又は高確率状態でレベル送信される状態信号であるので、特別信号の受信中を時短状態又は高確率状態として特定する。又、大当たり信号と特別信号の何れも受信していない期間を通常状態として特定する。
【００１５】
貸出機２は、各台計数機能を有する貸出機である。貸出機２は、パチンコ遊技機１の遊技状態を示す状態表示部２４、貨幣（貨幣価値、有価価値）が投入される貨幣投入口２５、遊技者からの操作入力を受け付けると共に遊技の進行に伴って図柄変動回数（スタート回数）や大当たり確率等の遊技データを表示するタッチパネル式の液晶表示部２６、持玉（会員遊技者であれば貯玉も含む）を払い出すための払出ボタン２７、払い出された玉が通過する払出ノズル２８、ＩＣカードが挿入されるカード挿入口２９、対応するパチンコ遊技機１を遊技する遊技者の顔を撮影するカメラ３０及びパチンコ遊技機１の下部受皿１６の下方に位置する着脱可能な計数受皿３１を有する。
【００１６】
貸出機２は以下のように動作する。
（１）貨幣が貨幣投入口２５に投入されると、ストックしている一般カードの枚数（残り枚数）が１枚以上であることを条件として貨幣を受け付け、その投入された貨幣の金額である投入金額を残額としてＲＡＭに記憶し、その残額を液晶表示部２６に表示し、貸出機２を識別可能な貸出機ＩＤと残額を特定可能な入金信号を金額管理装置８に送信する。この状態（残額がある状態）からパチンコ遊技機１の貸出ボタン２２が操作されると、その貸出ボタン２２の操作に応じて残額の範囲内で１度数分に対応する玉数の玉をパチンコ遊技機１内部の払出機構から貸し出し、貸出機ＩＤと貸出玉数を特定可能な売上信号を金額管理装置８に送信する。例えば貸出単価が４円であれば１２５玉を払い出し、貸出単価が１円であれば５００玉を払い出す。このとき、パチンコ遊技機１から貸出機２に１度数分の玉を払い出したことを示す信号が送信されるので、ＲＡＭに記憶している残額及び液晶表示部２６に表示させている残額から１度数分を減算する。売上信号は１度数分の玉を払い出す毎に１パルスが送信されるパルス信号であるので、１パルスを５００円分の売上額として特定する。尚、カードストック部に一般カードを１枚もストックしていない、即ち、一般カードの残り枚数が０枚であるときには、貨幣の受け付けを禁止する。
【００１７】
（２）パチンコ遊技機１の下部受皿１６から落下した玉が計数受皿３１で受けられると、その計数受皿３１で受けられた玉が計数部に流入することで玉を計数し、その計数した玉数である計数玉数を持玉数としてＲＡＭに記憶すると共に、その持玉数を液晶表示部２６に表示する。この状態（持玉数がある状態）から払出ボタン２７が操作されると、その払出ボタン２７の操作に応じて計数玉数（持玉数）又は貯玉数（会員遊技者の場合）の範囲内で１度数分に対応する玉数の玉を貸出機２の後述する払出部４２から払出ノズル２８を経由して払い出す。このとき、ＲＡＭに記憶している持玉数及び液晶表示部２６に表示させている持玉数から１度数分を減算すると共に、払い出した遊技媒体の数を示す払出玉数を特定可能な払出信号を送信する。尚、持玉数が１度数分に対応する玉数に満たない場合であれば、その１度数に満たない分の全ての玉数の玉を貸出機２の払出部４２から払出ノズル２８を経由して払い出し、同様に、ＲＡＭに記憶している持玉数及び液晶表示部２６に表示させている持玉数から１度数に満たない分を減算する。
【００１８】
（３）一般カードがカード挿入口２９に挿入されると（受け付けられると）、一般カードに記録されている持玉数や残額をカードリーダライタにより読み出し、その読み出した持玉数や残額をＲＡＭに記憶する（一般カードからＲＡＭへとデータを移行する）と共に液晶表示部２６に表示する。このとき、一般カードに記録されている持玉数や残額をゼロリセットする（初期化する、一般カードの持玉数や残額のデータを消去する）。又、貸出機ＩＤとカードＩＤと持玉数や残額を特定可能なカード受付信号を持玉管理装置７及び金額管理装置８に送信する。一般カードが受け付けられたときは、その一般カードから読み出した持玉数や残額の範囲内で貸出処理及び払出処理を行う。
【００１９】
（４）会員カードがカード挿入口２９に挿入されると（受け付けられると）、会員カードに記録されている残額をカードリーダライタにより読み出し、その読み出した残額をＲＡＭに記憶する（会員カードからＲＡＭへとデータを移行する）と共に液晶表示部２６に表示する。このとき、会員カードに記録されている残額をゼロリセットする（初期化する、会員カードの残額のデータを消去する）。又、暗証番号の操作入力を条件として持玉管理装置７の会員口座に記憶されている貯玉数を受信することで、会員カードに対応する貯玉数もＲＡＭに記憶すると共に液晶表示部２６に表示する。又、貸出機ＩＤとカードＩＤと貯玉数や残額を特定可能なカード受付信号を持玉管理装置７及び金額管理装置８に送信する。会員カードが受け付けられたときは、会員カードから読み出した残額、その会員カードに対応する貯玉数の範囲内で貸出処理及び払出処理を行う。
【００２０】
（５）パチンコ遊技機１の返却ボタン２３が操作されると、その返却ボタン２３が操作された時点での一般カードや会員カードの受け付け状態に応じて持玉数や残額を一般カードや会員カードに記録して発行する。返却ボタン２３が操作された時点で一般カードがカード挿入口２９に挿入されており、持玉数及び残額のうち少なくとも何れかがあれば（「０」でなければ）、ＲＡＭに記憶している持玉数や残額を当該一般カードに記録し（ＲＡＭから一般カードへとデータを移行し）、一般カードを発行する。このとき、ＲＡＭに記憶している持玉数や残額をゼロリセットする（初期化する、ＲＡＭの持玉数や残額のデータを消去する）。一般カードを発行すると、貸出機ＩＤとカードＩＤと持玉数や残額を特定可能なカード発行信号を持玉管理装置７及び金額管理装置８に送信する。即ち、一般カードに記録した持玉数を持玉管理装置７にて管理し、一般カードに記録した残額を金額管理装置８にて管理する。
【００２１】
（６）返却ボタン２３が操作された時点で会員カードがカード挿入口２９に挿入されており、残額があれば、ＲＡＭに記憶している残額を当該会員カードに記録し（ＲＡＭから会員カードへとデータを移行し）、会員カードを発行する。このとき、ＲＡＭに記憶している残額をゼロリセットする（初期化する、ＲＡＭの残額のデータを消去する）。会員カードを発行すると、貸出機ＩＤとカードＩＤと残額を特定可能なカード発行信号を金額管理装置８に送信する。即ち、会員カードに記録した残額を金額管理装置８にて管理する。又、返却ボタンが操作された時点で会員カードがカード挿入口２９に挿入されており、持玉数があれば、ＲＡＭに記憶している持玉数を当該会員カードに記録せず（ＲＡＭから会員カードへとデータを移行せず）、会員カードを発行する。会員カードを発行すると、貸出機ＩＤとカードＩＤと持玉数や残額を特定可能なカード発行信号を持玉管理装置７及び金額管理装置８に送信する。即ち、会員カードに記録しなかった持玉数を持玉管理装置７にて管理し、会員カードに記録した残額を金額管理装置８にて管理する。即ち、持玉数を持玉管理装置７の会員口座に貯玉数として記憶させる（ＲＡＭから会員口座へとデータを移行する）。このときも、ＲＡＭに記憶している持玉数や残額をゼロリセットする（初期化する、ＲＡＭの持玉数や残額のデータを消去する）。
【００２２】
（７）返却ボタン２３が操作された時点で一般カード及び会員カードの何れもカード挿入口２９に挿入されておらず、持玉数及び残額のうち少なくとも何れかがあれば、その時点での一般カードの残り枚数が２枚以上であることを条件とし、そのうちの１枚の一般カードをカード移動機構（図示せず）によりカードリーダライタに繰り出し（セットし）、ＲＡＭに記憶している持玉数や残額を記録し（ＲＡＭから一般カードへとデータを移行し）、一般カードを発行する。このときも、ＲＡＭに記憶している持玉数や残額をゼロリセットする（初期化する、ＲＡＭの持玉数や残額のデータを消去する）。又、この場合も、一般カードを発行すると、貸出機ＩＤとカードＩＤと持玉数や残額を特定可能なカード発行信号を持玉管理装置７及び金額管理装置８に送信する。即ち、一般カードに記録した持玉数を持玉管理装置７にて管理し、一般カードに記録した残額を金額管理装置８にて管理する。
【００２３】
（８）一般カードがカード挿入口２９に挿入されている状態で所定の合算操作が行われると、一般カードに記録されている持玉数や残額を会員カードの残額やメイン管理装置６の会員口座の貯玉数に合算して記録する。即ち、一般カードがカード挿入口２９に挿入されている状態で所定の合算操作が行われると、その一般カードに記録されている持玉数や残額をＲＡＭに一旦退避し、一般カードの持玉数や残額をゼロリセットし、そのゼロリセットした一般カードをカード移動機構によりカードストック部に回収する。そして、会員カードがカード挿入口２９に挿入されると、ＲＡＭに退避しておいた残額を当該会員カードに記録されている残額に加算した値に上書き記録し、会員カードに対応する貯玉数をメイン管理装置６から取得してＲＡＭに退避しておいた持玉数に加算し、その貯玉数を加算した持玉数を特定可能な信号をメイン管理装置６に送信し、会員カードを発行する。尚、このような一般カードから会員カードへの合算は許容するが、会員カードから一般カードへの合算は禁止する。
【００２４】
情報表示装置３は、各種の遊技データを表示する表示部３２、従業員を呼び出すための呼出ボタン３３、複数のボタンからなるボタン群３４及びイルミネーション演出を行うイルミネーション演出部３５等を有する。
【００２５】
図２は、貸出機２、メイン管理装置６、持玉管理装置７及び金額管理装置８の機能ブロック図を示している。
貸出機２は、ＣＰＵ３６ａ、ＲＯＭ３６ｂ、ＲＡＭ３６ｃ及びＩ／Ｏ３６ｄを有するマイクロコンピュータにより構成される制御部３６（第１通知手段、第２通知手段、盗難登録通知手段、異常報知手段）と、当該制御部３６と接続された周辺部とを有する。制御部３６は、各種処理プログラム（ソフトウェア）を実行し、貸出機２の動作を制御する。周辺部としては、中継装置４との間で各種信号や各種情報を送受信するＩ／Ｆ部３７、状態表示部２４、液晶表示部２６、払出ボタン２７、貨幣投入口２５に投入された貨幣の真贋を判定する貨幣処理部３８、液晶表示部２６上に設けられたタッチパネル３９、ＩＣカードがカード挿入口２９に挿入されている状態で（受付中の状態で）当該ＩＣカードに対する各種情報の読み書きを行うカードリーダライタ（カードＲＷ）４０、最大で１０枚の一般カードをストック可能なカードストック部４１、玉を払出ノズル２８から払い出す払出部４２及び計数受皿３１から流入する玉を計数する計数部４３等である。
【００２６】
メイン管理装置６は、ＣＰＵ４４ａ、ＲＯＭ４４ｂ、ＲＡＭ４４ｃ及びＩ／Ｏ４４ｄを有するマイクロコンピュータにより構成される制御部４４（異常報知手段）と、中継装置４、持玉管理装置７及び金額管理装置８との間で各種信号や各種情報を送受信するＩ／Ｆ部４５とを有する。制御部４４は、各種処理プログラム（ソフトウェア）を実行し、メイン管理装置６の動作を制御する。
【００２７】
持玉管理装置７は、ＣＰＵ４６ａ、ＲＯＭ４６ｂ、ＲＡＭ４６ｃ及びＩ／Ｏ４６ｄを有するマイクロコンピュータにより構成される制御部４６（第１登録手段、第１解除手段）と、中継装置４、メイン管理装置６及び金額管理装置８との間で各種信号や各種情報を送受信するＩ／Ｆ部４７とを有する。制御部４６は、各種処理プログラム（ソフトウェア）を実行し、持玉管理装置７の動作を制御する。
【００２８】
金額管理装置８は、ＣＰＵ４８ａ、ＲＯＭ４８ｂ、ＲＡＭ４８ｃ及びＩ／Ｏ４８ｄを有するマイクロコンピュータにより構成される制御部４８（第２登録手段、第２解除手段）と、中継装置４、メイン管理装置６及び持玉管理装置７との間で各種信号や各種情報を送受信するＩ／Ｆ部４９とを有する。制御部４８は、各種処理プログラム（ソフトウェア）を実行し、金額管理装置８の動作を制御する。
【００２９】
持玉は、当日のみ有効であり（使用することができ）、翌日以降は使用することができない（翌日以降の消費が制限されている）。一般カードに前日の持玉が記憶されている場合には、遊技者は、その前日の持玉が記憶されている一般カードを従業員に渡し、その一般カードをリセットして貰う必要がある。一方、残額は、翌日以降（例えば３０日間）でも使用することができる（翌日以降の消費が可能である）。ＩＣカード、持玉管理装置７及び金額管理装置８では、それぞれ持玉数や残額が発生した日付（０から１以上になった日付）を記憶しており、その持玉数や残額を使用可能な期間であるか否かを判定する。
【００３０】
さて、前述した［発明が解決しようとする課題］で述べたように、持玉管理装置７と金額管理装置８とが個別に設けられ、ＩＣカードのカードＩＤに対応付けて持玉数や残額をそれぞれ個別に管理する遊技場用システムでは、どのように盗難登録の設定を行えば良いかが全く考慮されておらず、その対応が要望されている。この点を考慮し、遊技場用システムは、以下に示す動作を行う。以下、本発明の特徴部分として、盗難登録時、正常カードの受付時、盗難登録カードの受付時、盗難登録解除時のそれぞれの処理について順次説明する。
【００３１】
（１）盗難登録時の処理
従業員は、例えば従業員リモコンを操作して貸出機２をメンテナンスモードにした後に、タッチパネル３９にてカードＩＤを手入力したり当該貸出機２が受け付けていたカードＩＤの一覧から所望のカードＩＤを選択したりする等の所定操作を行うことで、盗難登録操作を行う。図３に示すように、貸出機２は、盗難登録操作が行われると（Ａ１）、その盗盗難登録操作により指定されたカードＩＤを盗難登録のカードＩＤとして特定し、その特定したカードＩＤ及び貸出機ＩＤを特定可能な盗難登録通知信号を金額管理装置８に送信する。
【００３２】
金額管理装置８は、貸出機２から送信された盗難登録通知信号を受信すると、その受信した盗難登録通知信号を持玉管理装置７に送信すると共に、その通知されたカードＩＤのＩＣカードが盗難されたものとして盗難登録する（Ｂ１）。尚、金額管理装置８は、カードＩＤを貸出機ＩＤと対応付けて登録しても良い。持玉管理装置７は、金額管理装置８から送信された盗難登録通知信号を受信すると、その通知されたカードＩＤのＩＣカードが盗難されたものとして盗難登録する（Ｃ１）。この場合も、持玉管理装置７は、カードＩＤを貸出機ＩＤと対応付けて登録しても良い。
【００３３】
具体的に説明すると、持玉管理装置７は、その営業日（当日）において一度でも持玉が１以上になったカードＩＤを使用リストとして記憶しており、使用リストに記憶しているカードＩＤについては盗難登録可能とする一方、記憶していないカードＩＤについては盗難登録不能とする。同様に、金額管理装置８は、一度でも残額が１円以上になったカードＩＤを使用リストとして記憶しており、使用リストに記憶しているカードＩＤについては盗難登録可能とする一方、記憶していないカードＩＤについては盗難登録不能する。
【００３４】
（２）正常カードの受付時の処理
図４に示すように、貸出機２は、遊技者がＩＣカードをカード挿入口２９に挿入したことでＩＣカードを受け付けると（Ａ１１）、その受け付けたＩＣカードのカードＩＤを特定可能なカードＩＤ通知信号を金額管理装置８に送信する。
【００３５】
金額管理装置８は、貸出機２から送信されたカードＩＤ通知信号を受信すると、その受信したカードＩＤ通知信号を持玉管理装置８に送信すると共に、その通知されたカードＩＤを使用リストと照合し、その通知されたカードＩＤのＩＣカードが盗難登録されているか否かにより盗難判定する（Ｂ１１）。金額管理装置８は、その通知されたカードＩＤが使用リストに記憶している何れかのカードＩＤと一致すれば、自装置にて盗難登録されていると判定し、使用リストに記憶している全てのカードＩＤと一致しなければ、自装置にて盗難登録されていないと判定し、その判定結果を記憶する。
【００３６】
持玉管理装置７は、金額管理装置８から送信されたカードＩＤ通知信号を受信すると、その通知されたカードＩＤのＩＣカードが盗難登録されているか否かにより盗難判定する（Ｃ１１）。持玉管理装置７は、その通知されたカードＩＤが使用リストに記憶している何れかのカードＩＤと一致すれば、自装置にて盗難登録されていると判定し、使用リストに記憶している全てのカードＩＤと一致しなければ、自装置にて盗難登録されていないと判定する。持玉管理装置７は、自装置にて盗難登録されていないと判定すると、盗難登録無通知信号を金額管理装置８に送信する。
【００３７】
金額管理装置８は、持玉管理装置７から送信された盗難登録無通知信号を受信し、自装置にて盗難登録されていないと判定すると、盗難登録無通知信号を貸出機２に送信する。
【００３８】
貸出機２は、金額管理装置８から送信された盗難登録無通知信号を受信すると、その受け付けたＩＣカードを正常なカード（盗難登録されていないカード）として処理する（Ａ１２）。
【００３９】
（３）盗難登録カードの受付時の処理（両方の管理装置７，８で盗難登録有り）
図５に示すように、持玉管理装置７は、盗難判定し（Ｃ１１）、自装置にて盗難登録されていると判定すると、自装置にて盗難登録されている情報を特定可能な盗難登録有通知信号を金額管理装置８に送信する。金額管理装置８は、盗難判定した後に（Ｂ１１）、持玉管理装置７から送信された盗難登録有通知信号を受信し、自装置にて盗難登録されていると判定すると、両方の管理装置７，８にて盗難登録されている情報を特定可能な盗難登録有通知信号を貸出機２に送信する。
【００４０】
貸出機２は、金額管理装置８から送信された盗難登録有通知信号を受信すると、その受け付けたＩＣカードを盗難登録のカードとして処理し（Ａ１３）、異常報知を実行する（Ａ１４）。貸出機２は、異常報知として例えば「従業員をお呼びください」というメッセージを表示し、全ての操作を無効にすると共に、貸出機ＩＤを特定可能な盗難報告信号をメイン管理装置６に送信する。メイン管理装置６は、貸出機２から送信された盗難報告信号を受信すると、何れかの貸出機２で使用されたかを特定可能な異常報知を実行する。
【００４１】
（４）盗難登録カードの受付時の処理（金額管理装置８のみで盗難登録有り）
図６に示すように、持玉管理装置７は、盗難判定し（Ｃ１１）、自装置にて盗難登録されていないと判定すると、盗難登録無通知信号を金額管理装置８に送信する。金額管理装置８は、盗難判定した後に（Ｂ１１）、持玉管理装置７から送信された盗難登録無通知信号を受信し、自装置にて盗難登録されていると判定すると、自装置のみで盗難登録されている情報を特定可能な盗難登録有通知信号を貸出機２に送信する。
【００４２】
貸出機２は、金額管理装置８から送信された盗難登録有通知信号を受信すると、上記した（３）で説明した処理と同様に、その受け付けたＩＣカードを盗難登録のカードとして処理し（Ａ１３）、異常報知を実行する（Ａ１４）。
【００４３】
（５）盗難登録カードの受付時の処理（持玉管理装置７のみで盗難登録有り）
図７に示すように、持玉管理装置７は、盗難判定し（Ｃ１１）、自装置にて盗難登録されていると判定すると、盗難登録有通知信号を金額管理装置８に送信する。金額管理装置８は、盗難判定した後に（Ｂ１１）、持玉管理装置７から送信された盗難登録有通知信号を受信し、自装置にて盗難登録されていないと判定すると、持玉管理装置７のみで盗難登録されている情報を特定可能な盗難登録有通知信号を貸出機２に送信する。
【００４４】
貸出機２は、金額管理装置８から送信された盗難登録有通知信号を受信すると、上記した（３）で説明した処理と同様に、その受け付けたＩＣカードを盗難登録のカードとして処理し（Ａ１３）、異常報知を実行する（Ａ１４）。
【００４５】
（６）盗難登録解除時の処理
持玉管理装置７は、予め設定された解除時刻（第１解除条件）になったと判定すると（Ｃ２１）、使用リストに記憶している全てのカードＩＤを使用リストから削除し、全てのカードＩＤについて盗難登録を解除する（Ｃ２２）。解除時刻は、当日の営業終了時刻（例えば２２：３０）から翌日の営業開始時刻（例えば９：００）までの期間の任意の時刻（例えば４：００）である。
【００４６】
金額管理装置８は、予め設定された解除時刻になったと判定すると（Ｂ２１）、使用リストに記憶しているカードＩＤのうち残額が「０」である期間が所定日数（例えば１００日）継続している（第２解除条件）カードＩＤを使用リストから削除し、残額が「０」である期間が所定日数継続しているカードＩＤについて盗難登録を解除する（Ｂ２２）。残額については翌日以降も使用可能であるので、使用リストから削除するまでの期間を持玉よりも長くしている。使用リストは、メイン管理装置６にて従業員が確認可能となっており、又、持玉数や残額が「０」になったタイミングで使用リストから直ちに削除するわけではなくので、盗難者が盗難したＩＣカードを不正に使用して持玉数や残額が「０」になった後に、盗難されたＩＣカードを従業員が使用リストから検索し易くしている。
【００４７】
尚、盗難登録を解除する方法としては、従業員がメイン管理装置６を操作して手動で解除することも可能である。具体的には、メイン管理装置６は、持玉管理装置７や金額管理装置８で盗難登録しているＩＣカードの一覧を表示し、その中から盗難登録を解除するカードＩＤを従業員が選択可能に表示する。メイン管理装置６は、一方の管理装置（例えば金額管理装置８）の一覧から盗難登録を解除するＩＣカードが選択されると、その選択されたＩＣカードのカードＩＤを含む盗難登録解除信号を一方の管理装置に送信し、一方の管理装置にて当該選択されたカードＩＤについて盗難登録を解除する。その後、一方の管理装置は、盗難登録解除信号を他方の管理装置（例えば持玉管理装置７）に送信し、他方の管理装置にて当該選択されたカードＩＤについて盗難登録を解除する。
【００４８】
以上に説明したように本実施形態によれば、次に示す効果を得ることができる。
【００４９】
遊技場用システムにおいて、従業員が登録操作を行うと、持玉管理装置７及び金額管理装置８がそれぞれ個別に盗難登録するので、遊技価値（持玉数及び残額）の種類により管理装置が異なっていても一方の管理装置でしか盗難を監視することができない事態を抑制することができる。又、解除条件が成立すると、持玉管理装置７及び金額管理装置８がそれぞれ個別に盗難登録を解除するので、一方の遊技価値について盗難登録を維持する必要がなくなった場合に、両方の管理装置で盗難登録を解除してしまう事態を抑制することができる。又、使用されたＩＣカードのカードＩＤが一方の管理装置で盗難登録されていれば、異常報知を実行するので、不正なＩＣカードの使用を発見することができる。以上により、複数の管理装置がある状況において、ＩＣカードの盗難を適切に監視することができる。
【００５０】
持玉については、翌日以降の使用が制限されるので、当日の営業が終了した場合に盗難登録を解除しても不具合が生じ難いが、残額については、翌日以降の使用が制限されないので、当日の営業が終了した場合に盗難登録を解除してしまうと不具合が生じる。この点に関し、残額については、残っていなければ盗難登録を解除するが、残っていれば盗難登録を解除せずに継続し、その残額が残っているＩＣカードが不正に使用された場合でも異常報知を実行するので、翌日以降でも不正なＩＣカードの使用を発見することができる。
【００５１】
ＩＣカードを受け付けた場合に、持玉管理装置７及び金額管理装置８のうち一方のみで盗難登録されている場合及び両方で盗難登録されている場合の何れでもあっても異常報知を実行するので、盗難されたＩＣカードが使用されたことを従業員が発見し易くなる。
【００５２】
本発明は、上記した実施形態にのみ限定されるものではなく、以下のように変形又は拡張することができる。又、以下に列挙する各変形例を適宜組み合わせても良い。
【００５３】
例示したパチンコ遊技機１以外の遊技機に適用しても良く、例えば玉が封入されており、遊技者が玉にさわることができず、クレジットや得点を消費して玉を発射する封入式パチンコ遊技機が考えられる。これらの構成の場合、得点やクレジットが遊技価値に対応する。即ち、遊技価値を任意に変更しても良い。その他、第１遊技価値が残額に対応しており、第２遊技価値が玉に対応する構成や、第１遊技価値がメダルに対応し、第２遊技価値が玉に対応する構成が考えられる。
【００５４】
本実施形態では、記録媒体としてＩＣカードを例示したが、コイン型の記録媒体やスティック型の記録媒体を採用することも可能である。又、ＩＣカードに持玉数や残額を直接記録する構成を例示したが、ＩＣカードにカードＩＤのみを記録し、カードＩＤに対応付けて持玉管理装置７にて持玉数の管理を行うと共に金額管理装置８にて残額の管理を行い、貸出機２において、ＩＣカードを受け付けた際に、持玉管理装置７及び金額管理装置８と通信を行うことで持玉数や残額を特定する構成にしても良い。即ち、記録媒体への情報の記録態様として、持玉数や残額を直接的に記録する構成、持玉数や残額を間接的に特定可能な情報を記録する構成を採用することが可能である。
【００５５】
貸出機２から持玉管理装置７及び金額管理装置８に各種情報を通知する通信方式や電文の構成は適宜変更しても良い。本実施形態では、貸出機２が各種信号を金額管理装置８に送信し、金額管理装置８が各種信号を持玉管理装置７に送信する構成を例示したが、貸出機２が各種信号をそれぞれ持玉管理装置７及び金額管理装置８に直接送信する構成にしても良い。
【００５６】
従業員による登録操作として、タッチパネル３９にてカードＩＤを手入力したり当該貸出機２が受け付けていたカードＩＤの一覧から所望のカードＩＤを選択したりする等を例示したが、従業員リモコンを操作して登録する構成、メイン管理装置６を操作して登録する構成でも良い。
第１解除条件として解除時刻になることを例示したが、第１解除条件を変更又は追加することも可能である。例えば従業員が閉店するための操作を行った際に第１解除条件が成立したと判定する構成、盗難登録してから所定時間（例えば２４時間）が経過した場合に第１解除条件が成立したと判定する構成、持玉が「０」になると第１解除条件が成立したと判定する構成でも良い。
第２解除条件として、解除時刻になることに加えて残額が「０」であることを例示したが、第２解除条件を変更又は追加することも可能である。例えば解除時刻になったか否かに関わらず残額が「０」になると第２解除条件が成立したと判定する構成、残額の有効期限が切れた場合に第２解除条件が成立したと判定する構成でも良い。
【００５７】
持玉について、当日のみの使用を許容する構成にしたが、翌日以降も使用可能にしても良い。この場合、解除時刻になることに代えて又は加え、第１解除条件を持玉が「０」になることにすれば良い。
又、残額について、翌日以降も使用可能にする構成にしたが、当日のみ使用可能にしても良い。
又、残額を翌日以降も使用可能にするが、入金した当日に比べて使用が一部制限される構成も考えられる。使用を一部制限する構成として、残額の精算機での精算は許容するが貸出機２での玉の貸出には使用を許容しない構成にすることも可能である。即ち、第２遊技価値の翌日以降の消費には、貸出機２での消費だけでなく、精算機での精算等の他の装置で使用することが含まれる。
【００５８】
異常報知としてメッセージを表示する構成にしたが、異常報知の態様を変更しても良い。例えばエラーコードを表示する構成、異常を示す音声を出力する構成等が考えられる。
持玉管理装置７及び金額管理装置８のうち一方で盗難登録している場合と、両方で盗難登録している場合とで、異常報知を同じ態様で実行する構成を例示したが、異常報知を異なる態様で実行する構成でも良い。
持玉管理装置７と金額管理装置８とが別体にて設けられた構成を例示したが、持玉管理装置７と金額管理装置８とを一体化することも可能である。即ち、ＩＣカードに記録される持玉数と残額をそれぞれ個別に管理する構成であれば、装置として一体であっても良い。
【符号の説明】
【００５９】
図面中、１はパチンコ遊技機（遊技機）、２は貸出機（遊技用装置）、７は持玉管理装置（第１管理装置）、８は金額管理装置（第２管理装置）、３６は制御部（第１通知手段、第２通知手段、盗難登録通知手段、異常報知手段）、４４は制御部（異常報知手段）、４６は制御部（第１登録手段、第１解除手段）、４８は制御部（第２登録手段、第２解除手段）である。
【図１】
2019150237.tif 000003
【図２】
2019150237.tif 000004
【図３】
2019150237.tif 000005
【図４】
2019150237.tif 000006
【図５】
2019150237.tif 000007
【図６】
2019150237.tif 000008
【図７】
2019150237.tif 000009
【図８】
2019150237.tif 000010